(57)【要約】【課題】表示部が所定の回転角度以上回転したことに応じて磁気検出手段の出力を変化させて該表示部の開閉状態を検出し、該表示部での表示状態を前記開閉状態に応じた状態にする。【解決手段】機器本体に固定される磁気検出素子２０８と、機器本体に収納された第１の状態と全開された第２の状態との間で表示部２０１の一端面側を軸中心として、該表示部を開閉自在に支持するヒンジ部２０４と、磁気検出素子の検出面と所定の距離を隔てて対向した同一面上にＳ極とＮ極が位置するように、ヒンジ部に固定される磁石２０６とを有し、前記磁気検出素子を、表示部が前記収納状態と前記全開状態の途中の所定の回転角度未満までの開閉状態では、磁石のＳ極とＮ極のうちの一方に対向し、前記所定の回転角度以上、前記全開状態の間では、磁石のＳ極とＮ極のうちの他方に対向し、Ｓ極に対向する場合とＮ極に対向する場合とで、その出力が変化するようにする。【選択図】        図２
2004184293.tif 000002
【特許請求の範囲】
【請求項１】
観察に供される情報を表示する表示部と、
機器本体に固定される磁気検出素子と、
機器本体に収納された第１の状態と全開された第２の状態との間で前記表示部の一端面側を軸中心として、該表示部を開閉自在に支持するヒンジ部と、
前記磁気検出素子の検出面に対向した同一面上にＳ極とＮ極が位置するように、前記ヒンジ部に固定される磁石とを有する電子機器であって、
前記磁気検出素子は、前記表示部が前記第１の状態と前記第２の状態の途中の所定の回転角度未満までの開閉状態では、前記磁石のＳ極とＮ極のうちの一方に対向し、前記所定の回転角度以上、前記第２の状態の間では、前記磁石のＳ極とＮ極のうちの他方に対向し、Ｓ極に対向する場合とＮ極に対向する場合とで、その出力が変化することを特徴とする電子機器。
【発明の詳細な説明】
【０００１】
【発明の属する技術分野】
本発明は、表示部を有する、撮影装置等の電子機器の改良に関するものである。
【０００２】
【従来の技術】
近年、撮像装置において被写体の画像を確認する手段として、液晶パネルなどの表示装置を二つ具備しているものがある。その一つは直視出来る大型液晶表示部であり、もう一つは覗いて見る小型液晶表示部であり、必要に応じ切り換え可能になっている。一般的には外光の明るい場所では液晶の照明光の方が暗いため、表示画面が見にくいので、覗いて見る小型液晶表示部を使用する。したがって、大型液晶表示部から小型液晶表示部へもしくはその逆への切り換えが行われた事を検出する手段が必要になる。この検出手段として、機械的な作動に応答して電気的接続を切り換えるメカスイッチを用いるものがあるが、近年の製品の小型化に伴い、メカスイッチを配置するスペースが少なく配置することが困難となっている。特に大型液晶表示部の開閉（第１の回転軸を中心に回転させて）や回転（第１の回転軸と直交する第２の回転軸を中心に回転させて）操作等をメカスイッチにより検出する構成の場合、開閉や回転を可能にするヒンジ部に前記メカスイッチを配置するスペースが殆どない。そこで、大型液晶表示部の開閉、回転操作等が行われたことを、前記メカスイッチに代え、磁気検出素子（ホール素子とも記す）などのセンサーを使用して検出している。
【０００３】
また、撮影者が小型液晶表示部、撮影されている側が大型液晶表示部、というように両方の人が液晶表示画面を見ることが可能な対面撮影状態においては、大型液晶表示部を開操作の後、更に回転操作して被写体側に向ける使用となる。この際、大型液晶表示部での画面表示は画面が上下逆方向になるため、表示方向を補正するための検出手段としても、メカスイッチに代え、ホール素子などのセンサーが用いられている。
【０００４】
ところが、前記ホール素子を使用した場合は、以下のような問題がある。
【０００５】
一般にホール素子と磁石の位置関係は、図１２のように、ある一定の距離を置いた関係となっている。図１２においては、磁石が矢印の方向に移動可能な構造となっている。なおこのホール素子は、磁石のＳ極に対して出力が切り換わるものとする。
【０００６】
図１３（ａ），（ｂ）は、磁石の磁束密度とホール素子の出力との関係を示したものである。
【０００７】
ホール素子周辺にＳ極の磁界が発生すると、該ホール素子の出力がＨｉ（ハイレベルを意味する）からＬｏ（ローレベルを意味する）に切り換わる。つまり、磁石がホール素子の方に移動（図１２において下方向）していくと、図１３（ａ）に示すようにホール素子の周辺はＳ極の磁界が強くなるので、図１３（ｂ）に示すように該ホール素子の出力がＨｉからＬｏに切り換わる。
【０００８】
ところが、ホール素子は磁石の磁束密度に対して動作感度（動作磁束密度）のばらつきがある。図１４（ａ），（ｂ）のように、磁束密度の強さに対してホール素子出力がａまたはｂのようなばらつきを持っているのである。また、動作密度分布からみてみると、図１５のように、ホール素子の出力がＨｉからＬｏになる磁束密度をＢＨ−Ｌ  、ホール素子の出力がＬｏからＨｉになる磁束密度をＢＬ−Ｈ  とした場合、ホール素子によっては同じ磁束密度でも、ＢＨ−Ｌ  のもの、ＢＬ−Ｈ  のものの両方が存在することがわかる。
【０００９】
【発明が解決しようとする課題】
上記のようにホール素子は動作磁束密度のばらつきが大きいため、切り換え位置の設定が困難となっている。
【００１０】
そのことによる問題点としては、例えば、大型液晶表示部を使用して撮影する際、撮影場所、撮影環境により、該大型液晶表示部を完全に９０度開いて使用できない場合があり、４５度や６０度だけ開いた状態で撮影する場合がある。このような場合にホール素子を使用して大型液晶表示部の回転角度の検出を行うと、該ホール素子の感度のばらつきにより４５度開いても大型液晶表示部を用いて撮影しようとしていることを検出できず、該大型液晶表示部が動作しないと云う事態が発生する。
【００１１】
また、販売店にて展示を行う際、限られた展示スペースにて液晶表示画面も見せようとするために、大型液晶表示部の表示パネル面を表側にした回転収納状態で展示されることが多い。この場合は、大型液晶表示部の回転による上下表示の補正と、表示面が表面になるために更に左右についても表示方向を補正することが必要になるが、これら補正を適正に切り換えることが困難である。
【００１２】
上記のようにホール素子の検出角度はホール素子の動作点がオン／オフ（Ｈｉ，Ｌｏ）で異なるため、例えば大型液晶表示部と小型液晶表示部を切り換えるために大型液晶表示部を開く場合と、大型液晶表示部を閉じて小型液晶表示部に切り換えるポイント（角度）が同じ位置にならない問題がある。
【００１３】
また、大型液晶パネルの視野角が狭いので見る方向によっては液晶パネルの階調が反転し、表示面が黒つぶれまたは白飛びになることがある。このような場合、ユーザーが暗い画面または白っぽい画面と間違った認識を持つことになることから、このような状態では大型液晶表示部が動作しない（小型液晶表示部から大型液晶表示部への切り換えが行われない）ような構成にすることも望まれる。
【００１４】
（発明の目的）
本発明の目的は、表示部が所定の回転角度以上回転したことに応じて磁気検出手段の出力を変化させて該表示部の開閉状態を検出し、該表示部での表示状態を前記開閉状態に応じた状態にすることのできる電子機器を提供しようとするものである。
【００１５】
【課題を解決するための手段】
上記目的を達成するために、本発明は、観察に供される情報を表示する表示部と、機器本体に固定される磁気検出素子と、機器本体に収納された第１の状態と全開された第２の状態との間で前記表示部の一端面側を軸中心として、該表示部を開閉自在に支持するヒンジ部と、前記磁気検出素子の検出面に対向した同一面上にＳ極とＮ極が位置するように、前記ヒンジ部に固定される磁石とを有する電子機器であって、前記磁気検出素子を、前記表示部が前記第１の状態と前記第２の状態の途中の所定の回転角度未満までの開閉状態では、前記磁石のＳ極とＮ極のうちの一方に対向し、前記所定の回転角度以上、前記第２の状態の間では、前記磁石のＳ極とＮ極のうちの他方に対向し、Ｓ極に対向する場合とＮ極に対向する場合とで、その出力が変化するようにした電子機器とするものである。
【００１６】
【発明の実施の形態】
以下、本発明を図示の実施の形態に基づいて詳細に説明する。
【００１７】
図１は本発明の実施の第１の形態に係る撮像装置の一例であるビデオカメラの電気的構成を示すブロック図である。
【００１８】
同図において、１０１は被写体像を入光するためのレンズ部、１０２は前記レンズ１０１から入光した被写体像を光電変換する撮像素子、１０３は前記撮像素子１０２からの出力信号をマトリクス処理することによって輝度信号および色差信号を生成し、ガンマ処理、Ａ／Ｄ変換などの処理を行うカメラ信号処理部、１０４は前記カメラ信号処理部１０３からの信号を所定のフォーマットに変換して画像を表示させるための信号を生成する表示信号生成部、１０５は液晶表示部に表示するための文字や記号等を作成するキャラクタージェネレータである。
【００１９】
１０６は大型液晶表示部であり、表示駆動回路１０６ａ、大型液晶パネル１０６ｂ及び該大型液晶パネル１０６ｂの背面から光を照射するためのバックライトユニット１０６ｃによって構成される。前記表示駆動回路１０６ａは、前記表示信号生成部１０４によって生成された信号に基づく撮像素子１０２によって撮像された画像を大型液晶パネル１０６ｂに表示させる。また、液晶表示部としては更に、覗くタイプの小型液晶表示部１０７も具備されており、前記大型液晶表示部１０６と同様に、表示駆動回路１０７ａ、小型液晶パネル１０７ｂ及びバックライト１０７ｃによって構成される。
【００２０】
１０８は制御部であり、メモリコントローラ１０８ａとシステムコントローラ１０８ｂを具備し、前記メモリコントローラ１０８ａでは、前記カメラ信号処理部１０３から入力される画像データをフレームメモリに蓄積を行ったり、逆にフレームメモリの画像データを前記カメラ信号処理部１０３に出力する。
【００２１】
また、前記システムコントローラ１０８ｂは各部の動作の制御を行っており、ＡＥ，ＡＷＢ，ＡＦ処理は、全て撮像面のデータを用いてシステムの制御を行う。これらの処理はカメラ信号処理部１０３がデータを供給してやり、メインＣＰＵが演算処理を行い、不図示の、絞り駆動回路、レンズ駆動回路、ＣＣＤ駆動回路及びカメラ信号の色処理回路を制御する。又システムコントローラ１０８ｂは、不図示の操作部の各種スイッチ（電源スイッチ、レリーズスイッチ、再生スイッチ等）の操作状態に応じて各部を制御し、必要な情報を表示部１０７に表示する。更にシステムコントローラ１０８ｂは、操作部からのスイッチ操作に基づいて各回路を制御するもので、前記撮像素子１０２の駆動制御や露出値、フォーカス、ホワイトバランスなどの制御も行う。
【００２２】
尚、ここでは、システムコントローラ１０８ｂがビデオカメラ全体を制御する場合を例示したが、サブＣＰＵとメインＣＰＵとで分担する構成としても良い。
【００２３】
１０９，１１０はホール素子であり、それぞれのホール素子の近傍に磁石１１１，１１２が配置され、また磁力がこれらホール素子までの距離によって変化するような構造となっている。このホール素子１０９，１１０での検出結果により制御部１０８が大型液晶表示部１０６と小型液晶表示部１０７の切り換え制御を行うことになる。
【００２４】
次に、実際にビデオカメラにホール素子と磁石を具備したヒンジ回転機構について説明する。
【００２５】
図２は大型液晶表装置が閉じられた収納状態時のホール素子と磁石を示す図であり、同図において、２０１は大型液晶表示部、２０２は大型液晶表示部２０１の開閉の為の回転中心となる回転軸、２０３は対面撮影時の際に大型液晶表示部を回転させる為の回転中心となる回転軸である。２０４はヒンジベースであり、前記回転軸２０２，２０３に対してそれぞれ回転する構造となっている。２０５は前記ヒンジベース２０４を保護するためのヒンジカバーである。２０６，２０７は環状の磁石であり、共にヒンジベース２０４に固定されている。
詳しくは、磁石２０６は、該磁石２０６のＳ極とＮ極が共にビデオカメラ本体に固定された後述のホール素子２０８と対向するように同一面に着磁されており、かつ、大型液晶表示部２０１が収納状態から４５度未満の開閉状態ではＮ極上にホール素子２０８が位置し、４５度以上、９０度までの開閉状態ではＳ極上にホール素子２０８が位置するように、前記ヒンジベース２０４に固定されている。そして、環状の磁石２０６の中心は回転軸２０２と同一軸上であり、ヒンジベース２０４が回転することにより一緒に回転する。また、磁石２０７は、該磁石２０７のＳ極とＮ極が共に大型液晶表示部に固定された後述のホール素子２０９と対向するように同一面に着磁されており、かつ、大型液晶表示部２０１が９０度に開かれた状態からのさらなる回転状態が９０度未満ではＮ極上にホール素子２０９が位置し、９０度以上、１８０度までの回転された状態ではＳ極上にホール素子２０９が位置するように、前記ヒンジベース２０４に固定されている。そして、環状の該磁石２０７の中心は回転軸２０３と同一軸上である。
【００２６】
２０８は開閉検出用のホール素子であり、２０９は回転検出用のホール素子であり、共にＳ極の磁束に対して感度を持っているものとする。ホール素子２０８は不図示のビデオカメラ本体に固定されており、図２の状態では磁石２０６のＮ極上に位置する。ホール素子２０９は大型液晶表示部２０１に固定されており、図２の状態では磁石２０７のＮ極上に位置する。また、大型液晶表示部２０１が回転軸２０３に対して回転することにより一緒に回転する。
【００２７】
この状態において、それぞれのホール素子２０８，２０９の出力をみてみると、どちらのホール素子もＮ極上に位置しているので、オフ（Ｈｉ）状態である。このホール素子２０８，２０９がオフの状態では不図示の小型液晶表示部が画像表示用として動作する。
【００２８】
ここで、回転軸２０２を中心に大型液晶表示部２０１を画像表示用として使用する方向、すなわち図２中、時計方向に回転させると、ヒンジベース２０４、磁石２０６も回転軸２０２を中心として回転する。丁度４５度回転した時点で、不図示のビデオカメラ本体に固定されたホール素子２０８はＮ極上からＳ極上に位置するようになり、該ホール素子２０８はＳ極に対し感度を持っているのでその出力がオンに変化し、画面表示用として小型液晶表示部から大型液晶表示部に切り換えられることになる。
【００２９】
図３は、大型液晶表示部２０１を回転軸２０２を中心に更に回転させ、図２の状態から９０度回転させた状態を示す図である。このときのホール素子の出力は、ホール素子２０８が磁石のＳ極上にくるためにオンとなり、ホール素子２０９の方は磁石２０７、ホール素子２０９とも回転するため、オフのままである。このときは大型液晶表示部２０１が画像表示用として動作する。
【００３０】
図３の状態から、今度は回転軸２０３を中心として大型液晶表示部２０１を回転させると、該大型液晶表示部２０１に固定されているホール素子２０９も回転軸２０３を中心として回転する。この際、ヒンジベース２０４は回転しない。図４がこのときの状態、つまり回転軸２０３を中心に１８０度回転させた対面撮影時の状態を示した図である。図４に示すように１８０度回転した状態では、ホール素子２０９はＮ極上の位置からＳ極上の位置に変化する。ホール素子２０９はＳ極に対し感度を持っているので、該ホール素子２０９の出力がオンに変化する。
【００３１】
上記のように大型液晶表示部２０１を図３の状態から回転軸２０３に対して１８０度回転した図４の状態では、ホール素子２０９がＳ極上に位置し、該ホール素子２０９の出力はオンとなるので両方のホール素子の出力がオンとなり、画面表示が上下及び左右反転し、対面撮影状態となる。
【００３２】
ここで、再び回転軸２０２を中心に大型液晶表示部２０１を収納方向、すなわち反時計方向に回転させると、ヒンジベース２０４、磁石２０６も回転軸２０２を中心として回転する。丁度４５度回転した時点で、ホール素子２０８はＳ極上の位置からＮ極上の位置に変化する。ホール素子２０８はＳ極に対し感度を持っているので、該ホール素子２０８の出力がオフに変化する。
【００３３】
図５は、対面撮影状態から大型液晶表示部を回転収納状態に位置させたものである。
【００３４】
この場合のホール素子２０８，２０９の出力は、ホール素子２０８はＮ極上にくるためにオフ、ホール素子２０９はＳ極上のままのオンとなる。
【００３５】
図６に、各回転軸の回転角および各使用状態でのホール素子の出力をまとめたものを図示している。
【００３６】
次に、図７のフローチャートを用いて、大型液晶表示部２０１の回転軸２０２を中心とする開閉や回転軸２０３を中心とする回転に伴って変化するホール素子２０８，２０９の出力に基づいたシステムコントローラ１０８ｂによる液晶表示部の切り換え制御動作について説明する。
【００３７】
まず、ステップ＃３０１にて、大型液晶表示部（フローでは、ＬＣＤパネル）を用いる為に図４に示すように４５度以上開かれたか否かをホール素子２０８の出力より確認し、該ホール素子２０８の出力がオンしていなければステップ＃３０８へ進み、小型液晶表示部（フローでは、ＥＶＦパネル）を画像表示用として動作させ、このフローを終了する。
【００３８】
一方、前記ホール素子２０８の出力がオン（ホール素子２０９はオフ）していれば回転軸２０２を中心にして４５度以上開かれたとしてステップ＃３０２へ進み、大型液晶表示部を画像表示用として動作させる。次のステップ＃３０３では、回転軸２０３を中心にして大型液晶表示部が９０度以上、１８０度まで回転操作が行われたか否かを、ホール素子２０９の出力より確認する。この結果、ホール素子２０９の出力がオフであれば、大型液晶表示部を用いての通常撮影のままであるとしてステップ＃３０７へ進み、小型液晶表示部の動作を停止（非表示状態）し、このフローを終了する。
【００３９】
また、上記ステップ＃３０３にてホール素子２０９の出力がオンに変化していれば、回転軸２０３を中心にして大型液晶表示部が９０度以上、１８０度まで回転操作されたとしてステップ＃３０４へ進み、スキャン方向を逆に制御する画面上下反転の表示を行う。そして、次のステップ＃３０５にて、対面撮影状態であるかを、ホール素子２０８の出力より確認する。該ホール素子２０８の出力がオン（ホール素子２０９はオンのまま）であれば対面撮影であるとしてステップ＃３０９へ進み、スキャン方向を逆に制御する画面左右反転の表示を行うと同時に、キャラクタ文字が左右逆に表示されるために該キャラクタ文字を非表示に制御する。その後はステップ＃３０８へ進み、小型液晶表示部も動作させ（対面撮影であり、撮影者は大型液晶表示部で画像の確認をできないので）、このフローを終了する。
【００４０】
また、上記ステップ＃３０５にてホール素子２０８がオンしていなければ対面撮影状態でないのでステップ＃３０６へ進み、回転収納状態であるかをホール素子２０８の出力より確認する。該ホール素子２０８の出力がオフに変化（ホール素子２０９はオンのまま）していれば、回転収納状態であるとしてスキャン方向を逆に制御する画面上下反転の表示を継続し、次のステップ＃３０７にて、小型液晶表示部の動作を停止し、このフローを終了する。なお、上記ステップ＃３０６にて回転収納状態でなければ、誤検出の可能性があるのでステップ＃３０４へ戻り、以下同様の動作を繰り返す。
【００４１】
（実施の第２の形態）
図８は本発明の実施の第２の形態に係る大型液晶表示部が閉じられた収納状態を示す図であり、図２等と同じ部分は同一符号を付し、その説明は省略する。又図１の回路構成や図７の動作についても同様であるものとし、その説明は省略する。
【００４２】
同図において、２１０，２１１は棒状の磁石であり、磁石２１０はヒンジベース２０４の上部に回転軸２０３と平行に配置されており、回転軸２０２を中心に回転する。磁石２１１は同様にヒンジベース２０４の下部に固定されており、回転軸２０３に対し垂直に配置され、回転軸２０２を中心に回転する。２１２はホール素子であり、不図示のビデオカメラ本体に固定されており、磁石２１０のＮ極側の近傍に配置されている。ホール素子２１３は大型液晶表示部２０１に固定されており、磁石２１０のＮ極側の近傍に配置され、回転軸２０３を中心に回転する構造となっている。
【００４３】
図９は、大型液晶表示部２０１を回転軸２０２を中心に更に回転させ、図８の状態から９０度回転させた状態を示す図である。
【００４４】
このときのホール素子の出力は、ホール素子２１２は磁石２１０のＳ極上にくるためにオンとなり、ホール素子２１３は磁石２１とは離れた場所に位置するのでオフのままである。このときは大型液晶表示部２０１が画像表示用として動作する。
【００４５】
図９の状態から、今度は回転軸２０３を中心として大型液晶表示部２０１を回転させると、該大型液晶表示部２０１に固定されているホール素子２１３も回転軸２０３を中心として回転する。この状態を示したのが、図１０である。このように１８０度回転した状態時には、ホール素子２１３は磁石２１１のＳ極上の位置に変化する。該ホール素子２１２はＳ極に対し感度を持っているので、該ホール素子２１２の出力もオンに変化する。
【００４６】
つまり、図１０は大型液晶表示部２０１を図９の状態から回転軸２０３に対して１８０度回転した状態であり、この際、ホール素子２１３がＳ極上に位置し、該ホール素子２１３の出力はオンとなる。これで両方のホール素子の出力がオンとなり、表示画面が上下及び左右反転し、対面撮影状態となる。
【００４７】
ここで、再び回転軸２０２を中心に大型液晶表示部２０１を収納方向、すなわち反時計方向に回転させると、ヒンジベース２０４、磁石２１０も回転軸２０２を中心として回転する。丁度４５度回転した時点で、ホール素子２１２はＳ極上の位置からＮ極上の位置に変化する。ホール素子２１２はＳ極に対し感度を持っているので、該ホール素子２１２の出力がオフに変化する。
【００４８】
図１１は、対面撮影状態から大型液晶表示部２０１を回転収納状態に位置させたものである。
【００４９】
この場合のホール素子２１２，２１３の出力は、ホール素子２１２はＮ極上にくるためにオフ、ホール素子２１３はＳ極上のままのオンとなる。
【００５０】
各回転軸の回転角および各使用状態でのホール素子の出力をまとめたものは、上記の図６と同様の状態となる。
【００５１】
以上の構造により、上記実施の第１の形態と同様、大型液晶表示部２０１の収納状態（小型液晶表示部の使用状態）、大型液晶表示部の使用状態、対面撮影状態、および、回転収納状態にて同様な効果を得ることができる。
【００５２】
以上の実施の各形態によれば、ホール素子の検出面と所定の距離を隔てて対向した同一面上にＳ極とＮ極が位置するように磁石を配置しているので、常にホール素子の検出に必要な磁束を該ホール素子に加えることができ、ホール素子の動作磁束密度のばらつきがなくなり、液晶表示部の切り換えを適正に行うことが可能となる。
【００５３】
また、図６に示すように、あらかじめ設定したポイント（回転角度）で各ホール素子の出力が変化するようにしておき、各ホール素子の各出力状態に基づいて各表示部の表示状態（非表示、表示、上下反転表示、左右反転表示）を切り換えるようにしているので、ビデオカメラの使用状態（収納状態（小型液晶表示部の使用状態）、大型液晶表示部使用状態（通常撮影状態）、対面撮影状態、および、回転収納状態）に合った表示とすることができる。
【００５４】
さらに、上記のように表示の切り換えポイント（回転角度）をあらかじめ規定出来ることから、使用する液晶表示部の視角特性を避けることも出来る（４５度以上開かれないとホール素子はオンせず、大型液晶表示部を非表示状態にする等）ため、販売店での展示を行う際に液晶パネルの黒つぶれや白飛びによる画面が暗いや白っぽいといった、ユーザーの間違った認識を回避できることにもなる。
【００５５】
（変形例）
上記実施の各形態では、ビデオカメラに適用した例を述べたが、その他の表示部を回動させて観察する機能を有する電子機器にも適用できるものである。
【００５６】
また、ホール素子をビデオカメラ本体や大型液晶表示部の一端面側に固定し、磁石をヒンジ部に固定した例を示しているが、逆に、磁石をビデオカメラ本体や大型液晶表示部の一端面側に固定し、ホール素子をヒンジ部に固定した構成で合っても、同様の効果を得ることができるものである。
【００５７】
以下、本発明に係る実施態様について列挙する。
【００５８】
（実施態様１）  観察に供される情報を表示する表示部と、機器本体に固定される磁気検出素子と、機器本体に収納された第１の状態と全開された第２の状態との間で前記表示部の一端面側を軸中心として、該表示部を開閉自在に支持するヒンジ部と、前記磁気検出素子の検出面と所定の距離を隔てて対向した同一面上にＳ極とＮ極が位置するように、前記ヒンジ部に固定される磁石とを有する電子機器であって、前記磁気検出素子は、前記表示部が前記第１の状態と前記第２の状態の途中の所定の回転角度未満までの開閉状態では、前記磁石のＳ極とＮ極のうちの一方に対向し、前記所定の回転角度以上、前記第２の状態の間では、前記磁石のＳ極とＮ極のうちの他方に対向し、Ｓ極に対向する場合とＮ極に対向する場合とで、その出力が変化することを特徴とする電子機器。
【００５９】
（実施態様２）  前記磁気検出素子の出力に基づいて、前記表示部の表示状態を制御する表示制御手段を有する実施態様１に記載の電子機器。
【００６０】
（実施態様３）  前記磁気検出素子は、前記表示部が前記第１の状態と前記第２の状態の途中の所定の回転角度未満までの開閉状態にあり、前記磁石のＳ極とＮ極のうちの一方に対向している際は第１の信号を出力し、前記表示部が前記所定の回転角度以上、前記第２の状態の間にあり、前記磁石のＳ極とＮ極のうちの他方に対向している際は、第２の信号を出力するものであり、前記制御手段は、前記磁気検出素子の出力が前記第１の信号時には、前記表示部を非表示の状態とし、前記磁気検出素子の出力が前記第２の信号に変化することにより、前記表示部を表示状態にすることを特徴とする実施態様２に記載の電子機器。
【００６１】
（実施態様４）  観察に供される情報を表示する表示部と、機器本体に固定される第１の磁気検出素子と、前記第１の磁気検出素子と直交した、前記表示部の一端面側に固定される第２の磁気検出素子と、機器本体に収納された第１の状態と全開された第２の状態との間で前記表示部の前記一端面側を軸中心として、該表示部を開閉自在に支持する第１の軸部を有すると共に、前記表示部の第２の状態で該表示部を前記第１の軸部と直交する方向を軸中心として、該表示部を回転自在に支持する第２の軸部を有するヒンジ部と、前記第１の磁気検出素子の検出面と所定の距離を隔てて対向した同一面上にＳ極とＮ極が位置するように、前記ヒンジ部に固定される第１の磁石と、前記第２の磁気検出素子の検出面と所定の距離を隔てて対向した同一面上にＳ極とＮ極が位置するように、前記ヒンジ部に固定される第２の磁石とを有する電子機器であって、前記第１の磁気検出素子は、前記表示部が前記第１の状態と前記第２の状態の途中の所定の回転角度未満までの開閉状態では、前記磁石のＳ極とＮ極のうちの一方に対向し、前記所定の回転角度以上、前記第２の状態の間では、前記第１の磁石のＳ極とＮ極のうちの他方に対向し、Ｓ極に対向する場合とＮ極に対向する場合とで、その出力が変化するものであり、前記第２の磁気検出素子は、前記表示部が前記第２の状態から１８０度回転された第３の状態の間の９０度未満の回転角度の回転状態では、前記第２の磁石のＳ極とＮ極のうちの一方に対向し、前記９０度から前記１８０度回転された前記第３の状態の間では、前記磁石のＳ極とＮ極のうちの他方に対向し、Ｓ極に対向する場合とＮ極に対向する場合とで、その出力が変化するものであることを特徴とする電子機器。
【００６２】
（実施態様５）  前記第１の磁気検出素子の出力と前記第２の磁気検出素子の出力に基づいて、前記可動の表示部の表示状態を制御する表示制御手段とを有することを特徴とする実施態様４に記載の電子機器。
【００６３】
（実施態様６）  機器本体に固定された固定表示部を有し、前記表示制御手段は、前記第１の磁気検出素子の出力と前記第２の磁気検出素子の出力に基づいて、前記可動の表示部と前記固定表示部の表示状態を制御することを特徴とする実施態様５に記載の電子機器。
【００６４】
（実施態様７）  前記第１の磁気検出素子は、前記可動の表示部が前記第１の状態から第２の状態の途中の所定の回転角度未満までの開閉状態にあり、前記第１の磁石のＳ極とＮ極のうちの一方に対向している際は第１の信号を出力し、前記可動の表示部が前記所定の回転角度以上、前記第２の状態の間にあり、前記磁石のＳ極とＮ極のうちの他方に対向している際は、第２の信号を出力するものであり、前記第２の磁気検出素子は、前記可動の表示部が前記第２の状態から１８０度回転された第３の状態の間の９０度未満の回転角度の回転状態にあり、前記磁石のＳ極とＮ極のうちの一方に対向している際は第１の信号を出力し、前記可動の表示部が前記９０度から前記１８０度回転された前記第３の状態の回転状態にあり、前記第２の磁石のＳ極とＮ極のうちの他方に対向している際は、第２の信号を出力するものであり、前記制御手段は、前記第１の磁気検出素子の出力が前記第１の信号であり、前記第２の磁気検出素子の出力も前記第１の信号時には、前記固定の表示部のみを表示状態とし、前記第１の磁気検出素子の出力が前記第２の信号であり、前記第２の磁気検出素子の出力が前記第１の信号時には、前記可動の表示部のみを表示状態とし、前記第１の磁気検出素子の出力が前記第２の信号であり、前記第２の磁気検出素子の出力も前記第２の信号時には、前記可動の表示部のみを表示状態とすると共にこの時の情報表示を上下反転及び左右反転させ、前記第１の磁気検出素子の出力が前記第１の信号であり、前記第２の磁気検出素子の出力が前記第２の信号時には、前記可動の表示部を表示状態にすると共にこの時の表示情報を上下反転させ、かつ、前記固定の表示部も同時に表示状態とすることを特徴とする実施態様６に記載の電子機器。
【００６５】
（実施態様８）  磁気検出素子と、磁石とを有し、ヒンジの位相（回転角度）が所定の角度になったときに、前記磁気検出素子の出力が変化するように設定されていることを特徴とするヒンジ回動制御装置。
【００６６】
（実施態様９）  ヒンジの回転軸に対して所定の角度に傾けて前記磁石の極性の境界を設定することを特徴とする実施態様８に記載のヒンジ回動制御装置。
【００６７】
（実施態様１０）  磁気検出素子と、磁石とを有し、ヒンジの位相（回転角度）が所定の角度になったときに、前記磁気検出素子の動作感度が変化するように構成してなることを特徴とするヒンジ回動制御装置。
【００６８】
（実施態様１１）  前記磁気検出素子と極性の異なる磁石を用い、かつ前記磁気検出素子に常時磁束を加えることを特徴とする実施態様８に記載のヒンジ回動制御装置。
【００６９】
（実施態様１２）  二つの磁気検出素子の感度方向を互いに直交する位置に、該二つの磁気検出素子を配置したことを特徴とする実施態様８に記載のヒンジ回動制御装置。
【００７０】
（実施態様１３）  二つの磁石が互いに直交する位置に、該二つの磁気検出素子を配置したことを特徴とする実施態様８に記載のヒンジ回動制御装置。
【００７１】
【発明の効果】
以上説明したように、本発明によれば、表示部が所定の回転角度以上回転したことに応じて磁気検出手段の出力を変化させて該表示部の開閉状態を検出し、該表示部での表示状態を前記開閉状態に応じた状態にすることができる電子機器を提供できるものである。
【図面の簡単な説明】
【図１】本発明の実施の各形態に係るビデオカメラの電気的構成を示すブロック図である。
【図２】図１のビデオカメラにおいて大型液晶表示部が収納状態にある際のヒンジ部近傍の様子を示す斜視図である。
【図３】図１のビデオカメラにおいて大型液晶表示部が通常撮影状態時のヒンジ部近傍の様子を示す斜視図である。
【図４】図１のビデオカメラにおいて大型液晶表示部が対面撮影状態時のヒンジ部近傍の様子を示す斜視図である。
【図５】図１のビデオカメラにおいて大型液晶表示部が回転収納状態時のヒンジ部近傍の様子を示す斜視図である。
【図６】図１のビデオカメラの各使用状態における各ホール素子の出力状態等を示す図である。
【図７】本発明の実施の第１の形態における主要部分の動作を示すフローチャートである。
【図８】本発明の実施の第２の形態に係るビデオカメラにおいて大型液晶表示部が収納状態にある際のヒンジ部近傍の様子を示す斜視図である。
【図９】本発明の実施の第２の形態において大型液晶表示部が通常撮影状態時のヒンジ部近傍の様子を示す斜視図である。
【図１０】本発明の実施の第２の形態において大型液晶表示部が対面撮影状態時のヒンジ部近傍の様子を示す斜視図である。
【図１１】本発明の実施の第２の形態において大型液晶表示部が回転収納状態時のヒンジ部近傍の様子を示す斜視図である。
【図１２】従来のホール素子と磁石の関係を示したものである。
【図１３】磁束密度とホール素子の出力の関係を示したものである。
【図１４】磁束密度の強さに対してホール素子の感度のばらつきについて示したものである。
【図１５】磁束密度に対してホール素子の感度のばらつきを示したものである。
【符号の説明】
１０３          カメラ信号処理部
１０４          表示信号生成部
１０６          大型液晶表示部
１０７          小型液晶表示部
１０８ｂ        システムコントローラ
１０９，１１０  ホール素子
１１１，１１２  磁石
２０１          大型液晶表示部
２０２，２０３  回転軸
２０４          ヒンジベース
２０７，２０８  磁石
２０８，２０９  ホール素子
【図１】
2004184293.tif 000003
【図２】
2004184293.tif 000004
【図３】
2004184293.tif 000005
【図４】
2004184293.tif 000006
【図５】
2004184293.tif 000007
【図６】
2004184293.tif 000008
【図７】
2004184293.tif 000009
【図８】
2004184293.tif 000010
【図９】
2004184293.tif 000011
【図１０】
2004184293.tif 000012
【図１１】
2004184293.tif 000013
【図１２】
2004184293.tif 000014
【図１３】
2004184293.tif 000015
【図１４】
2004184293.tif 000016
【図１５】
2004184293.tif 000017